(57)【要約】【課題】位置決め突起の配置箇所の変更があっても、手間及び費用を掛けずに、瞬時に対処できる入賞球誘導用裏樋を提供する。【解決手段】位置決め穴１８１、１８２等の設けられたパチンコ遊技盤１の裏面に取着され、入賞球を誘導するための誘導経路を形成する入賞球誘導用裏樋である。略樋形状を備える裏樋本体と、この樋底面２１１ａに対向する開放部２１２ａの周囲より延設された取着用耳Ｍ5 、Ｍ6 等と、樋底面２１１ａと離間する方向に向かって突出する位置決め突起Ｔ等とを具備する。そして、この突起Ｔ等が取着用耳Ｍ5 、Ｍ6 等と別体で構成され、この突起Ｔ等がこの耳Ｍ5 、Ｍ6 等の位置決め穴１８１、１８２等に対応する箇所に後付け固定される。この後付け固定は、この突起Ｔの裏面側より係止用脚Ｐを突出させ、この耳Ｍ5 等の所望の箇所に係止孔を穿設し、この脚Ｐを係止孔に挿入係止等して行われる。【選択図】図３
2006280987.tif 000002
【特許請求の範囲】
【請求項１】
位置決め穴が穿設されたパチンコ遊技盤の裏面に取着され、該パチンコ遊技盤の裏面に導かれた入賞球を誘導するための誘導経路を形成する入賞球誘導用裏樋であって、
略樋形状を備える裏樋本体と、該裏樋本体の樋底面に対向する開放部の周縁に形成された取着部と、該樋底面と離間する方向に向かって該取着部から突出する位置決め突起と、該取着部において該位置決め突起が設けられる位置とは異なる位置に設けられるビス孔と、該裏樋本体を該ビス孔を介して該パチンコ遊技盤の裏面に固定する固定用ビスとを具備し、
該位置決め突起が上記取着部と別体で構成されると共に、該位置決め突起が該取着部の上記位置決め穴に対応することとなる箇所に後付け固定されて、前記位置決め穴に嵌入された後、前記固定用ビスで固定されることを特徴とする入賞球誘導用裏樋。
【請求項２】
前記位置決め突起は、前記位置決め穴に対向する突出端から根本側に至る中空部を有し、該中空部が前記位置決め穴の底面部に存在する不良箇所を収容することで、前記パチンコ遊技盤への取着を該不良箇所に邪魔されないようにしたことを特徴とする請求項１記載の入賞球誘導用裏樋。
【発明の詳細な説明】
【技術分野】
【０００１】
本発明は、入賞球誘導用裏樋（以下、「裏樋」という。）に関する。そして、本発明は、パチンコ遊技機、パチンコ遊技盤及び裏樋の製造用の各種金型を製造、販売、使用等する分野の技術に属する。
【背景技術】
【０００２】
パチンコ遊技機（以下、「パチンコ機」という。）のパチンコ遊技盤（以下、「遊技盤」という。）７１の裏面には、図９に示す様な裏樋７２が取着されることが多い。この裏樋７２の主要部である裏樋本体７２ａは、遊技盤７１の裏面に導かれた入賞球の誘導経路を形成するためのものである。そして、この裏樋本体７２ａを、遊技盤７１の裏面に正確に取着することを意図して、この裏面に位置決め穴７１１を穿設し、裏樋本体７２ａの適所に、この位置決め穴７１１に対応する位置決め突起７２１が設けられることが多い（例えば、特許文献１参照。）。
【特許文献１】特開平２−７４２７６号公報
【発明の開示】
【発明が解決しようとする課題】
【０００３】
しかしながら、上記従来の裏樋７２では、裏樋本体７２ａ及び位置決め突起７２１が一体とされているのが一般的であるため、以下の様な問題を有している。即ち、パチンコ機の製造現場においては、仕様の変更等に対応するために、遊技盤７１に設けられるゲージの配置や、役物等の配置、種類の変更が必要となり、位置決め突起７２１の設けられる箇所を変更しなければならないことが多い。そして、この様な変更に対処するために、裏樋製造用の金型を新たに準備することもあるが、コストの低廉化等を意図し、在来の製造用金型に修正を加えて用いることが多い。
【０００４】
例えば、図１０に示す様な上型９１及び下型９２を備えた金型に、修正を加える場合、先ず、図１１（ａ）に示す様に、上型９１及び下型９２（但し、図１１には、下型のみを図示する。）の凹状部９１１Ｌ、９２２Ｌを、金型素材と同様な素材で充填したり、凹凸の部分を切削して、各型９１、９２の衝合面の側を略面一にする。次いで、図１１（ｂ）に示す様に、新たな切削加工を施したり、新たな凸状部を溶接して付加したりして、金型の修正を行うことが多い。従って、この様な金型の修正を行っても、ある程度の手間、費用及び時間が必要となる。この様な事情より、位置決め突起７２１の配置箇所の変更に対し、手間、費用及び時間を掛けずに対処できる方策の出現が望まれていた。
【０００５】
本発明は、上記観点に鑑みてなされてものであり、位置決め突起の配置箇所の変更があっても、手間及び費用を掛けずに、瞬時に対処できる裏樋を提供することを目的とする。
【課題を解決するための手段】
【０００６】
本第１発明の裏樋は、位置決め穴が穿設されたパチンコ遊技盤の裏面に取着され、該パチンコ遊技盤の裏面に導かれた入賞球を誘導するための誘導経路を形成する入賞球誘導用裏樋であって、略樋形状を備える裏樋本体と、該裏樋本体の樋底面に対向する開放部の周縁に形成された取着部と、該樋底面と離間する方向に向かって該取着部から突出する位置決め突起と、該取着部において該位置決め突起が設けられる位置とは異なる位置に設けられるビス孔と、該裏樋本体を該ビス孔を介して該パチンコ遊技盤の裏面に固定する固定用ビスとを具備し、該位置決め突起が上記取着部と別体で構成されると共に、該位置決め突起が該取着部の上記位置決め穴に対応することとなる箇所に後付け固定されて、前記位置決め穴に嵌入された後、前記固定用ビスで固定されることを特徴とする。
本発明では、裏樋本体及び位置決め突起が別体で構成され、両者が別々に作製される。そして、位置決め突起は、裏樋本体の取着部の位置決め穴に対応することとなる箇所に後付け固定される。その後、この裏樋本体は、取着部の該位置決め突起が設けられる位置とは異なる位置に設けられるビス孔を介してパチンコ遊技盤の裏面に固定用ビスで固定される。従って、位置決め突起の位置変更があっても、裏樋本体の取着部の新たな箇所に、位置決め突起を取着すれば足りる。そして、位置決め突起の位置変更の前後で、同一の金型を用いることができることとなり、この位置変更に関する手間及び費用の省略と、時間の短縮化とが図られる。また、裏樋本体の取着部に設けられたビス孔に固定用ビスを打ち込めば、当該裏樋本体をパチンコ遊技盤の裏面に正確に固定できる。
【０００７】
また、前記位置決め突起は、前記位置決め穴に対向する突出端から根本側に至る中空部を有し、該中空部が前記位置決め穴の底面部に存在する不良箇所を収容することで、前記パチンコ遊技盤への取着を該不良箇所に邪魔されないようにすることが望ましい。
これは以下の観点からなされたものである。即ち、図９に示す様な位置決め穴７１１には、ドリル等の治具を用いて作製されるものが多いが、この様な穴７１１の中には、図１２に示す様に、底面部に「削り残し」、「削り損じ」、「バリ」等の不良箇所Ｆが存在するものがある。そして、この様な位置決め穴７１１には、位置決め突起７２１を十分に嵌め込むことが困難なため、裏樋７２が、遊技盤７１の裏面より浮いた状態となり易い。この結果、裏樋７２に搭載される可動部品の動作に悪影響を与えることが多い。例えば、図１２に示す様に、「アタッカー開成用機構」の裏樋７２から離間すべき部材が、この浮いた状態の裏樋７２に接触し、この機構の可動を困難にすることがある。具体的には、図１２に示す様に、開成用ソレノイドの軸８１及びアタッカーの扉（図示しない。）の間に掛け渡された連結部材８２等が、この浮いた状態の裏樋７２に接触することがある。また、裏樋７２の上に、防護用のカバーを取着する場合にも、この取着が困難になり易い。
これに対し、本発明では、位置決め突起が、位置決め穴に対向する突出端から根本側に至る「中空部」を備えているため、対応する位置決め穴に「不良箇所」が存在しても、この「箇所」を「中空部」の内部に収め、邪魔にならない様にしながら、裏樋の取着が行える。また、この裏樋を用いれば、位置決め穴の仕上がり状態が少々、悪くてもよいため、位置決め穴の穿設治具（「ドリル」等）の研磨間隔を長くしたり、一の治具の使用期間を長くできる。また、穿設される位置決め穴の不良の有無の確認や、修正等の作業を不要にできるたため、裏樋、引いては、パチンコ機の製造効率の向上及び製造コストの低廉化に寄与できる。
【発明の効果】
【０００８】
以上の様に、本発明の裏樋は、位置決め突起の配置箇所の変更に対して、小さな手間、少ない費用、短い時間で対応できる。また、本発明の裏樋では、この様な効果に加え、位置決め穴の仕上がり状態が少々悪くても、正確に取着できるという効果が得られる。
【発明を実施するための最良の形態】
【０００９】
以下、本発明の実施の形態を説明する。
（１）実施の形態１
本裏樋２は、図１に示す様な遊技盤１の裏面に取着されるものである。この遊技盤１は、略矩形板状のベニア合板（板厚；１９．５ｍｍ）を用いて構成されおり、上方寄りの略中央には、図２に示す様な覗き孔ｈが設けられている。また、図１に示す様に、遊技盤２の裏面には、この覗き孔ｈに蓋をする様な状態で、液晶表示装置Ｅが取着されている。更に、遊技盤１の前方からは、この覗き孔ｈを通じ、液晶表示装置Ｅの表示面が目視可能とされている。
【００１０】
また、遊技盤２の裏面の液晶表示装置Ｅの下方には、アタッカー（図示しない。）の可動を行うアタッカー開成機構Ｇが取着されている。更に、遊技盤１の晶表示装置Ｅの配置箇所の両脇には、入賞口１１、１２が設けられている。また、これらの下方にも、入賞口１３、１４が設けられている。更に、アタッカー開成機構Ｇの配置箇所の上方には、液晶表示装置Ｅを動作させるための始動入賞口１５が設けられている。また、この箇所の両脇にも、入賞口１６、１７が設けられている。但し、各入賞口１１〜１７の配置箇所、配置数等は、本形態に示すものに限らない。
【００１１】
また、入賞口１１、１２の上方には、図１及び図３に示す様な位置決め穴（穴径；８〜１６ｍｍφ、深さ；３〜３．５ｍｍ）１８１、１８２が設けられている。更に、図１に示す様に、入賞口１６、１７の内側にも、同様な位置決め穴（穴径；８〜１６ｍｍφ、深さ；３〜３．５ｍｍ）１８３、１８４が設けられている。但し、各位置決め穴１８１〜１８４の配置箇所、配置数等は、図１に示すものに限らない。尚、図１では、遊技盤２の裏面に配置される各部材のうちで、裏樋２、液晶表示装置Ｅ及びアタッカー開成機構Ｇのみを図示し、これら以外の部材（各配線、入賞球検出装置等）の図示を省略している。
【００１２】
一方、上記裏樋２は、半透明な合成樹脂材を用いて構成され、遊技盤２の裏面２１の上方側に取着される上方部２ａと、下方側に取着される下方部２ｂとからなる。但し、この上方部２ａ及び下方部２ｂが一体とされた裏樋２であってもよい。このうち、上方部２ａは、上方本体部（板厚；２ｍｍ）２１ａと、その上方側、中間側及び下方側の各両脇に配置された耳部（板厚；２ｍｍ）Ｍ1 〜Ｍ6 とを備えている。この上方本体部２１ａは、所定の樹脂系原料を用いて成形したものであり、略アーチ状の樋経路を描ている。そして、図２に示す様に、樋底面２１１ａを遊技盤１の裏面と離間させつつ、この樋底面２１１ａに対向する開放部２１２ａ（樋の経路に沿った開方端縁部）を、遊技盤１の裏面に略接触若しくは近接させている。
【００１３】
また、耳部Ｍ1 〜Ｍ6 は、いずれも、略板状の外形とされ、上方本体部２１ａの開放部２１２ａを囲む側壁の部分から略水平に延設されている（図３参照）。但し、耳部Ｍ1 〜Ｍ6 の配置箇所、数等は、本形態に限定されない。更に、耳部Ｍ1 〜Ｍ6 のうちで、中間側に配置されるものＭ5 及びＭ6 には、図３に示す様な位置決め突起（樹脂製）Ｔが取着されている。即ち、この耳部Ｍ5 、Ｍ6 が、取着用耳となる。但し、取着用耳を、残りの耳部Ｍ1 〜Ｍ4 より選択してもよく、また、取着用耳とされる耳部Ｍ1 〜Ｍ6 の数も、本形態に示す数に限らない。そして、これらの位置決め突起（樹脂製）Ｔは、遊技盤１の上方側で、左右に並ぶ各位置決め穴１８１、１８２と、位置合わせされている。また、この位置決め突起Ｔは、図４に示す様に、突出端の側に行くに従って、内径の絞られる略円錐台形状（高さ；２．５ｍｍ、根元側の外形；１７ｍｍφ、突出端側の外形；１５ｍｍφ）とされ、各位置決め穴１８１、１８２に嵌め込み可能とされている。尚、位置決め突起Ｔを、この様なテーパ形状とするのは、位置決め穴１８１、１８２への挿入を容易にするためである。
【００１４】
また、図４及び５に示す様に、位置決め突起Ｔの裏面の略中心からは、係止ピンＰが突出している。尚、図５では、位置決め突起Ｔ及び係止ピンＰが一体にされているが、両者を着脱可能としてもよい。また、係止ピンＰは、図４及び５に示す様に、軸線方向に空間Ｋの形成された茸状の外形を備えている。但し、係止ピンＰの構造、外形等は、これに限定されない。そして、この位置決め突起Ｔの上記耳部Ｍ5 及びＭ6 への取着は、図５に示す様な手順で行われている。即ち、各耳部Ｍ5 及びＭ6 における「上記各位置決め穴１８１、１８２の中心部に対応する箇所」に、ドリル等を用いて、係止孔Ｒを穿設する。次いで、係止ピンＰを、この係止孔Ｒに挿入係止すれば、位置決め突起Ｔの取着を完了する。そして、この様に取着される位置決め突起Ｔは、上記各位置決め穴１８１、１８２に位置合わせされたものとなる。尚、この係止ピンＰは、樹脂により構成され、且つ上記の様な空間Ｋを備えるため、軸径を弾性的に変化させることが容易である。従って、この取着作業を効率良く行うことができる。また、取着後は、軸径を弾性的に復元させるため、取着状態はしっかりとしている。
【００１５】
また、残りの耳部Ｍ1 〜Ｍ4 の略中央には、ビス孔（図示しない。）が設けられられている。そして、図１及び３に示す様に、各置決め用突起Ｔ、Ｔを、対応する各位置決め穴１８１、１８２に嵌め込めば、上方部２ａは、遊技盤１の裏面の上方側に位置合わせされる。更に、耳部Ｍ1 〜Ｍ4 のビス孔に向かって、所定の固定用ビスＱを打ち込めば、上方部１ａは、図１に示す様に、遊技盤１の裏面に正確に固定される。その際、この上方部２ａは、遊技盤１の裏面側に、液晶表示装置Ｅの下方を除く箇所を取り囲む誘導経路を形成する。この誘導経路は、液晶表示装置Ｅの両脇の入賞口１１、１２を通じ、遊技盤１の裏面に導かれた入賞球を誘導する。また、この様に誘導される入賞球は、上方部２ａの下端の開口部２５３ａ、２５４ａを通じて、下方部２ｂの方向へと導かれる。
【００１６】
一方、下方部２ｂも、略アーチ状の外形とされ、所定の樹脂系原料を用いて成形された下方本体部２１ｂと、下方本体部２１ｂの上下両脇から略水平に突出する耳部ｍ1 〜ｍ4 と、下方本体部２１ｂの一対の傾斜壁から下方側に突出する耳部ｍ5 、ｍ6 とを備えている。尚、これらの耳部ｍ1 〜ｍ6 の突出箇所、突出数等も、本形態に限定されない。また、上方本体部２１ａと、この下方本体部２１ｂとを合わせたものが、本裏樋２の裏樋本体となる。そして、耳部ｍ5 、ｍ6 が、取着用耳とされ、上方部２１ａと同様な位置決め突起ｔが、同様な方法で取着されている。尚、下方部２１ｂにおいても、取着用耳の選択方法、選択数を種々変更できる。
【００１７】
更に、残りの耳部ｍ1 〜ｍ4 にも、上方部２１ａと同様なビス孔（図示しない。）が設けられており、このビス孔に向かって、所定の固定用ビスｑを打ち込めば、上方部２１ａも、遊技盤１の裏面に取着される。その際、この下方部２ｂは、アタッカー開成機構Ｇの下方側を除く箇所を取り囲む誘導経路を形成する。この誘導経路は、上方部２ａの下端の開口部２５３ａ、２５４ａを通じて流下する入賞球を、上端の開口部２５１ｂ、２５２ｂで補給し、下端の開口部２５３ｂ、２５４ｂへと誘導する。これと同時に、これらの誘導経路の守備範囲に設けられた入賞口１３〜１７を通じて、遊技盤１の裏面に導かれた入賞球の誘導を行う。但し、上記誘導経路の各守備範囲に、更に別の入賞口が設けられれば、各誘導経路は、これらの入賞口で導かれた入賞球の誘導をも行うことになる。
【００１８】
以上の様に、「上方部２ａ」及び「下方部２ｂ」では、予め、成形された各本体部２１ａ、２１ｂに対し、事後的に、係止孔Ｒ等を穿設し、この孔Ｒ等を頼りにして、各位置決め突起Ｔ、ｔを取着する。このため、置決め用突起Ｔ、ｔの配置箇所の変更があっても、各本体部２１ａ、２１ｂを形成するための金型として、在来の金型を引き続き使用できる。しかも、係止孔Ｒ等の穿設箇所の変更という簡易な手法を用いるため、位置決め突起Ｔ、ｔの位置変更の要望に対し、小さな手間、少ない費用、短い時間で対処できる。
【００１９】
（２）実施の形態２
本裏樋２ｄは、図６に示す様なものであり、以下の点で異なる他は、実施の形態１の裏樋２と同様である。即ち、取着用耳とされる耳部ｍ5 、ｍ6 には、予め、２つずつの係止孔Ｒ1 〜Ｒ4 が設けられている点が異なっている。但し、各耳部ｍ5 、ｍ6 に設けられる係止孔Ｒ1 、Ｒ3 等の数は２以上であれば特に問わない。また、図６では、下方本体部２ｄ1 のみを図示しているが、上方本体部の取着用耳にも、同様な係止孔が設けられてもよい。更に、これらの係止孔Ｒ1 、Ｒ3 等は、各本体部２１ｄ1等を成形する際に同時に形成されるものでも、各孔Ｒ1 〜Ｒ4 を備えない各本体部２１ｄ1 等に対し、穿設等の手法により、事後的に形成されるものであってもよい。
【００２０】
本裏樋２ｄでは、予め、遊技盤１の仕様変更等を予想し、各耳部ｍ5 、ｍ6 に複数の係止孔Ｒ1 〜Ｒ4 を形成する。そして、位置決め突起Ｔ、ｔの位置変更が必要な場合、各係止孔Ｒ1 〜Ｒ4 の中から、最適なもの（例えば、Ｒ1 及びＲ3）を選択し、これを用いる。従って、この裏樋２ｄも、位置決め突起Ｔ、ｔの位置変更に、小さな手間、少ない費用、短い時間で対応できる。尚、本形態では、各耳部（取着用耳）ｍ5 、ｍ6 に、その強度を大きく低下させない範囲で、可能な限り多くの係止孔Ｒ1 、Ｒ3 等を形成し、上記「位置変更」に対する自由度を更に高めてもよい。例えば、各耳部（取着用耳）ｍ5 、ｍ6に、係止孔Ｒ1 、Ｒ3 等を散点状に形成してもよい。
【００２１】
（３）実施の形態３
本裏樋２ｅは、図７に示す様なものであり、以下の点で異なる他は、実施の形態１の裏樋２と同様である。即ち、位置決め突起Ｔ、ｔの突出端（上底面）側に、凹み部Ｗを形成している点が異なっている。本裏樋２ｅでは、位置決め穴１８１〜１８４に不良箇所Ｆが存在しても、これを凹み部Ｗ内に収めながら、遊技盤１の裏面に正確に取着できる。そして、本裏樋２ｅは、図７に示す様に、裏樋２ｅに「アタッカー開成機構」８等を搭載したり、防護用のカバーを取着する場合に、特に好適である。また、この裏樋２ｅを用いれば、位置決め穴１８１〜１８４の仕上がり状態をあまり気にする必要がないため、裏樋２、引いては、パチンコ機の製造効率の向上及び製造コストの低廉化に寄与できる。
【００２２】
尚、本発明においては、上記具体的な実施の形態に示すものに限らず、目的、用途に応じて本発明の範囲内で種々変更した別の実施の形態、変形的な形態、別の実施例、変形例とすることができる。即ち、上記各実施の形態の「位置決め突起Ｔ、ｔ」及び「係止ピン（係止用脚）Ｐ」の変形的な形態として、図８に示すものを例示できる。先ず、図８（ａ）は、一の位置決め突起Ｔ、ｔより、複数の係止用脚Ｐ2 、Ｐ3 を突出させたものを例示している。また、図８（ｂ）は、「位置決め突起Ｔ、ｔ」の裏面より、略円筒状の係止用脚Ｐ4 を突出させたものを例示している。但し、図８（ａ）及び（ｂ）に示す場合には、各耳部Ｍ5 、Ｍ6 、ｍ5 、ｍ6 が、これらの係止用脚Ｐ2 〜Ｐ4 に対応した係止孔を備えることとなる。そして、これらの場合も、実施の形態１及び２と同様の効果が得られる。
【００２３】
また、図８（ｃ）は、実施の形態３及び図８（ａ）の変形例に係わるものであり、位置決め突起Ｔ、ｔの突出端（上底面）から根元（下底面）に向かって、中空部Ｓを備えている。この場合も、実施の形態３と同様の効果を得られる。更に、上記各実施の形態及び変形的な形態は、いずれも、係止孔Ｒにより位置決め突起Ｔ、ｔを固定するものであるが、係止穴により固定するものであってもよい。また、上記各位置決め突起Ｔ、ｔの配置箇所、配置数、サイズ、形状等は、本形態に示すものに限らない。
【図面の簡単な説明】
【００２４】
【図１】発明の実施の形態１に係わる裏樋が遊技盤の裏面に取着された状態を示す概略的な説明図である。
【図２】図１の裏樋及び遊技盤の覗き孔を通る水平面で切断した概略的な縦断面図である。
【図３】図１の上方部２ａ及び遊技盤１を位置決め突起Ｔの中心を通る垂直面で切断した概略的な縦断面図である。
【図４】図１の位置決め突起及び係止ピンの側面図である。
【図５】図４の位置決め突起及び係止ピンを対応する耳部に取着する方法を説明するための概略的な一部縦断面図である。
【図６】発明の実施の形態２に係わる裏樋（下方部のみを図示）の概略的な説明図である。
【図７】発明の実施の形態３に係わる裏樋を遊技盤の裏面に取着した状態を示す概略的な一部縦断面図である。
【図８】（ａ）は発明の実施の形態１及び２が備える係止ピン（係止用脚）の変形的な形態を説明するための概略的な縦断面図、（ｂ）は発明の実施の形態１及び２が備える係止ピン（係止用脚）の変形的な形態を説明するための概略的な縦断面図、（ｃ）は発明の実施３等の形態の位置決め突起及び係止ピン（係止用脚）の変形的な形態を説明するための概略的な縦断面図である。
【図９】従来例に係わる裏樋を遊技盤の裏面に取着した状態を示す概略的な一部縦断面図である。
【図１０】図９の裏樋の製造するための金型の概略的な一部縦断面図である。
【図１１】（ａ）従来例に係わる金型に手直しを施す手順を示す概略的な一部縦断面図、（ｂ）従来例に係わる金型に手直しを施す手順を示す概略的な一部縦断面図である。
【図１２】従来例に係わる裏樋を遊技盤の裏面に取着した状態を示す概略的な一部縦断面図である。
【符号の説明】
【００２５】
１；遊技盤、１１〜１７；入賞口、１８１〜１８４；位置決め穴、Ｅ；液晶表示装置、Ｋ；電子基板、２；裏樋、２ａ；上方部、２１ａ；上方本体部、２１１ａ；樋底面、２１２ａ；開方部、２ｂ；下方部、２１ｂ；下方本体部、Ｍ1 〜Ｍ6 、ｍ1 〜ｍ6 ；耳部、Ｍ5 、Ｍ6 、ｍ5 、ｍ6 ；取着用耳、Ｒ；係止孔、Ｗ；凹み部、Ｓ；中空部、Ｔ、ｔ；位置決め突起、Ｐ、Ｐ1 〜Ｐ3 ；係止用脚（係止ピン）。
【図１】
2006280987.tif 000003
【図２】
2006280987.tif 000004
【図３】
2006280987.tif 000005
【図４】
2006280987.tif 000006
【図５】
2006280987.tif 000007
【図６】
2006280987.tif 000008
【図７】
2006280987.tif 000009
【図８】
2006280987.tif 000010
【図９】
2006280987.tif 000011
【図１０】
2006280987.tif 000012
【図１１】
2006280987.tif 000013
【図１２】
2006280987.tif 000014